(57)【特許請求の範囲】
【請求項１】
底壁と、該底壁の上下に対向する一対の側縁から立設された第１側壁、及び左右に対向する一対の側縁から立設された第２側壁と、から一面に開口するボックス本体を備え、
前記一対の第１側壁の少なくとも一方に、ケーブルが挿入される電線管を接続するための接続孔が形成されるとともに、該接続孔は、前記第２側壁の少なくとも一方寄りに偏った位置に形成され、
前記第２側壁に前記ボックス本体の側方に開口するとともに前記接続孔に連通する挿入開口が形成されており、
前記接続孔に、前記電線管の径方向の一部が前記挿入開口より前記ボックス本体の側方へ突出するとともに、前記電線管の内部の一部が前記ボックス本体の内部空間に臨み、かつ他部が前記挿入開口の形成された前記第２側壁の端面に対向する状態に前記電線管が接続される配線ボックスにおいて、
前記第２側壁における前記電線管の内部の他部が対向する位置に、前記電線管に挿入された前記ケーブルを前記内部空間へ案内する案内部を形成し、
前記案内部は、前記第２側壁から前記ボックス本体の側方へリブとして突設された案内部形成体に形成され、
前記案内部は、前記第２側壁に固定され、前記ボックス本体の前記内部空間に向けて一定の角度で傾斜する案内面を有することを特徴とする配線ボックス。
【請求項２】
前記接続孔は、両第２側壁寄りに偏った位置に形成されている請求項１に記載の配線ボックス。
【請求項３】
前記挿入開口が形成された前記第２側壁の外面には、建物内の構造物に前記ボックス本体を固定する際に前記構造物に当接する当接座部が形成され、該当接座部は、前記ボックス本体の側方へ突出する電線管の一部よりも前記ボックス本体の側方へ突出している請求項１又は２に記載の配線ボックス。
【発明の詳細な説明】
【技術分野】
【０００１】
本発明は、一対の第１側壁の少なくとも一方に、電線管を接続するための接続孔が形成されるとともに、第２側壁にボックス本体の側方に開口するとともに接続孔に連通する挿入開口が形成された配線ボックスに関する。
【背景技術】
【０００２】
この種の配線ボックスとしては、例えば、特許文献１が挙げられる。図６（ａ）に示すように、特許文献１に開示の配線ボックス８０は、四角箱状をなすボックス本体８１を備えるとともに、そのボックス本体８１の上側壁８１ａ及び下側壁（図示せず）には、接続孔８２が２つずつ形成されている。なお、各接続孔８２は、それぞれ上側壁８１ａ及び下側壁の右側寄り及び左側寄りに偏った位置に形成されるとともに、隣り合う接続孔８２同士の間には、上側壁８１ａ及び下側壁の壁部８１ｂが位置している。
【０００３】
また、ボックス本体８１の右側壁８１ｃには挿入開口８３が形成され、その挿入開口８３は接続孔８２と連通している。そして、配線ボックス８０の右側から挿入開口８３に電線管９０が挿入されるとともに、電線管９０が接続孔８２に向けてスライド移動されることにより接続孔８２に電線管９０が接続される。この電線管９０にはケーブル８４が挿入されるようになっている。また、接続孔８２への電線管９０の接続状態では、壁部８１ｂに対する電線管９０の当接により、反対側の接続孔８２へ向けた電線管９０の移動が規制されるとともに、電線管９０が位置決めされている。
【０００４】
ところで、近年は、ケーブル８４の挿入作業を容易に行える等の理由から、電線管９０が大径化する傾向にある。そこで、図６（ｂ）に示すように、電線管９０よりも大径の大径電線管９１を接続可能とするために、挿入開口８３と連通する一方の接続孔８２の開口幅を、他方の接続孔８２より広くすることが考えられる。
【先行技術文献】
【特許文献】
【０００５】
【特許文献１】特開２００５−５１９９０号公報
【発明の概要】
【発明が解決しようとする課題】
【０００６】
しかし、大径電線管９１が接続孔８２に接続されたとき、大径電線管９１の径方向に沿った一部が、挿入開口８３から接続孔８２外へ突出してしまう。すると、大径電線管９１においては、その内部の一部が大径電線管９１の内部空間に臨むとともに、その他の一部が右側壁８１ｃの端部８１ｄに対向する状態になる。このため、ケーブル８４を、大径電線管９１内に挿入しながら配線ボックス８０内に引き込む際、右側壁８１ｃの端部８１ｄがケーブル８４の挿入端に干渉してしまい、配線ボックス８０に対するケーブル８４の配線作業が行いにくいという問題があった。
【０００７】
本発明は、上記従来の問題に鑑みてなされたものであって、その目的は、ケーブルの配線作業を簡単に行うことができる配線ボックスを提供することにある。
【課題を解決するための手段】
【０００８】
上記問題点を解決するために、請求項１に記載の発明は、底壁と、該底壁の上下に対向する一対の側縁から立設された第１側壁、及び左右に対向する一対の側縁から立設された第２側壁と、から一面に開口するボックス本体を備え、前記一対の第１側壁の少なくとも一方に、ケーブルが挿入される電線管を接続するための接続孔が形成されるとともに、該接続孔は、前記第２側壁の少なくとも一方寄りに偏った位置に形成され、前記第２側壁に前記ボックス本体の側方に開口するとともに前記接続孔に連通する挿入開口が形成されており、前記接続孔に、前記電線管の径方向の一部が前記挿入開口より前記ボックス本体の側方へ突出するとともに、前記電線管の内部の一部が前記ボックス本体の内部空間に臨み、かつ他部が前記挿入開口の形成された前記第２側壁の端面に対向する状態に前記電線管が接続される配線ボックスにおいて、前記第２側壁における前記電線管の内部の他部が対向する位置に、前記電線管に挿入された前記ケーブルを前記内部空間へ案内する案内部を形成し、前記案内部は、前記第２側壁から前記ボックス本体の側方へリブとして突設された案内部形成体に形成され、前記案内部は、前記第２側壁に固定され、前記ボックス本体の前記内部空間に向けて一定の角度で傾斜する案内面を有することを要旨とする。
【０００９】
請求項２に記載の発明は、請求項１に記載の配線ボックスにおいて、前記接続孔は、両第２側壁寄りに偏った位置に形成されていることを要旨とする。
【００１０】
請求項３に記載の発明は、請求項１又は２に記載の配線ボックスにおいて、前記挿入開口が形成された前記第２側壁の外面には、建物内の構造物に前記ボックス本体を固定する際に前記構造物に当接する当接座部が形成され、該当接座部は、前記ボックス本体の側方へ突出する電線管の一部よりも前記ボックス本体の側方へ突出していることを要旨とする。
【発明の効果】
【００１１】
本発明によれば、ケーブルの配線作業を簡単に行うことができる。
【図面の簡単な説明】
【００１２】
【図１】実施形態の配線ボックス及び電線管を示す斜視図。
【図２】（ａ）は配線ボックスを示す平面図、（ｂ）は配線ボックスの案内部を示す部分破断正面図。
【図３】配線ボックスに電線管が接続された状態を示す斜視図。
【図４】配線ボックスが柱に固定された状態を示す正面図。
【図５】配線ボックスにケーブルが配線された状態を示す平断面図。
【図６】（ａ）及び（ｂ）は背景技術を示す平面図。
【発明を実施するための形態】
【００１３】
以下、本発明を具体化した一実施形態を図１〜図５にしたがって説明する。
図１に示すように、配線ボックス１１に接続される電線管としての大径電線管１０は合成樹脂材料により可撓性を有するパイプ状に形成され、その周方向に突出する同一径のリング状をなす凸条部１０ａと、同一径のリング状をなす凹条部１０ｂとが繰り返し連続形成されて凹凸状に形成されている。なお、電線管としては、大径電線管１０よりも小径をなす小径電線管（図示せず）も存在し、異なる管径の小径電線管が複数種類存在する。そして、図３に示すように、大径電線管１０内にはケーブル２４が挿入されるとともに、このケーブル２４は配線ボックス１１の内部空間Ｓに引き込まれる。
【００１４】
次に、配線ボックス１１について説明する。図１及び図２に示すように、配線ボックス１１のボックス本体１３は、矩形板状をなす底壁１２と、その底壁１２の上下に対向する一対の側縁から立設された第１側壁としての上側壁１２ａ及び下側壁１２ｂと、底壁１２の左右に対向する一対の側縁から立設された第２側壁としての左側壁１２ｃ及び右側壁１２ｄとからなる。そして、ボックス本体１３は一面に開口する四角箱状に形成されている。また、ボックス本体１３内には、底壁１２と、上側壁１２ａと、下側壁１２ｂと、左側壁１２ｃと、右側壁１２ｄとから囲まれる内部空間Ｓが形成されている。
【００１５】
右側壁１２ｄの外面には、一定の厚みを有する直方体状の当接座部１４が外方へ突出形成されるとともに、図４に示すように、左側壁１２ｃの外面には、複数のリブ１２ｅがボックス本体１３の奥行き方向へ延びるように突設されている。また、図１に示すように、上側壁１２ａ、下側壁１２ｂ、及び左側壁１２ｃの開口側の外面には、補強リブ１２ｆが三つの側壁１２ａ，１２ｂ，１２ｃに跨るように突設されている。左側壁１２ｃのリブ１２ｅと補強リブ１２ｆとは連続している。
【００１６】
左側壁１２ｃ及び右側壁１２ｄには、それぞれ各側壁１２ｃ，１２ｄを貫通する固定孔１５が、ボックス本体１３の奥行き方向へ長孔状に延びるように複数形成されるとともに、各固定孔１５は、それぞれ固定ビス（図示せず）を挿通可能に形成されている。固定孔１５に挿通された固定ビスが、図３に示すように、建物内の構造物としての柱Ｈに固定されることにより、配線ボックス１１が柱Ｈに固定されるようになっている。
【００１７】
図１に示すように、上側壁１２ａ及び下側壁１２ｂにおいて、左側壁１２ｃ及び右側壁１２ｄ寄りに偏った位置には、それぞれ半円状の接続孔２０が各側壁１２ａ，１２ｂを貫通して形成されている。上側壁１２ａ及び下側壁１２ｂには、両接続孔２０に挟まれた位置に壁部１２１が位置するとともに、この壁部１２１により、ボックス本体１３の奥行き方向に沿った上側壁１２ａ及び下側壁１２ｂの強度が確保されている。また、左側壁１２ｃ及び右側壁１２ｄの上下両端部には挿入開口２１が、左側壁１２ｃ及び右側壁１２ｄを貫通して形成されるとともに、各挿入開口２１は、それぞれボックス本体１３の側方となる左方及び右方へ開口するように形成されている。各挿入開口２１は、各接続孔２０それぞれと連通するように形成されるとともに、各挿入開口２１から各接続孔２０内に大径電線管１０を挿入可能に形成されている。図５に示すように、ボックス本体１３の奥行き方向に沿った挿入開口２１の開口幅は大径電線管１０の凸条部１０ａにおける外径と同じ又はわずかに大きく形成されている。
【００１８】
図２（ａ）に示すように、各接続孔２０の内周に沿って係合突条２２が形成されている。各係合突条２２はそれぞれ接続孔２０の挿入開口２１側から同接続孔２０の奥方に向かって直線状に延び、さらに接続孔２０の円弧に沿って延びるように形成されている。ボックス本体１３の奥行き方向に沿った接続孔２０の開口幅は、大径電線管１０の凸条部１０ａにおける外径よりわずかに短く形成されている。大径電線管１０が挿入開口２１から接続孔２０内に挿入されると、大径電線管１０の凹条部１０ｂに係合突条２２を係合させることが可能となっている。
【００１９】
各係合突条２２において、挿入開口２１側の端縁には、係合突条２２より厚み寸法が大きい抜け止め部２３が形成されている。各抜け止め部２３は、ボックス本体１３の外面となる一面側から外方へ突出形成されている。各抜け止め部２３において、挿入開口２１側に位置する先端部は、それぞれ挿入開口２１側から接続孔２０の奥方に向かって傾斜するように形成されている。各抜け止め部２３の最大の厚み寸法は、凹条部１０ｂの幅、即ち隣接する凸条部１０ａ間の間隔より大きくなるように設定されている。
【００２０】
なお、係合突条２２には、大径電線管１０よりワンサイズ小径の小径電線管も係合させることができ、接続孔２０に小径電線管を接続することもできる。さらに、図示しないが、係合突条２２の内周側に、小径用係合突条を係合突条２２と同様な形状に形成し、その小径用係合突条を用いて、さらに小径の小径電線管を接続孔２０に接続可能にしてもよい。
【００２１】
図１、図２（ａ）及び図２（ｂ）に示すように、左側壁１２ｃ及び右側壁１２ｄにおいて、各挿入開口２１よりも中央寄りの外面には、それぞれ案内部形成体３０が外方へ突設されている。案内部形成体３０は、ボックス本体１３の奥行き方向全体に亘って延びる矩形板状に形成されている。各案内部形成体３０は、ボックス本体１３の開口側の一端が、補強リブ１２ｆの裏面に一体化されるとともに、底壁１２側の他端は、底壁１２の左右両側方それぞれから裏側に露出している。各案内部形成体３０における挿入開口２１に臨む端面は、ボックス本体１３の外側から内側に向かうに従いボックス本体１３の中央に向けて傾斜する平滑面状に形成され、この傾斜面によって案内面３０ａが形成されている。言い換えると、上側壁１２ａ寄りの案内部形成体３０に形成された案内面３０ａは、上側壁１２ａ側から下側壁１２ｂ側に向かうに従いボックス本体１３の中央に向けて下り傾斜している。一方、下側壁１２ｂ寄りの案内部形成体３０に形成された案内面３０ａは、下側壁１２ｂ側から上側壁１２ａ側に向かうに従いボックス本体１３の中央に向けて下り傾斜している。すなわち、各案内面３０ａは、ボックス本体１３内へのケーブル２４の挿入方向に沿いながらボックス本体１３の中央に向けて下り傾斜している。
【００２２】
左側壁１２ｃに形成された案内部形成体３０は、左側壁１２ｃに形成された複数のリブ１２ｅのうち、挿入開口２１に最も近いリブ１２ｅを用いて形成されている。また、右側壁１２ｄに形成された案内部形成体３０は、補強リブ１２ｆに一体化されており、右側壁１２ｄの補強リブとしての機能も発揮する。
【００２３】
さらに、右側壁１２ｄに形成された案内部形成体３０において、ボックス本体１３の外方に向けた突出長さは、当接座部１４のボックス本体１３の外方に向けた突出長さとほぼ同じ（若干短い）になっている。言い換えると、右側壁１２ｄの案内部形成体３０は、当接座部１４の突出長さを最大に利用して突出長さを確保している。よって、右側壁１２ｄの案内部形成体３０は、左側壁１２ｃの案内部形成体３０よりも突出長さが長くなっているとともに、右側壁１２ｄの案内面３０ａの方が左側壁１２ｃの案内面３０ａよりも傾斜方向への長さが長くなっている。そして、本実施形態では、案内部形成体３０と案内面３０ａとから案内部４０が形成されている。
【００２４】
上側壁１２ａ及び右側壁１２ｄの内面において、ボックス本体１３の開口側であり、接続孔２０に挟まれた位置にはボス部Ｂがボックス本体１３の内方に向けて突設されている。また、図２（ａ）に示すように、各ボス部Ｂ内にはナットＮが埋込まれている。さらに、各ボス部Ｂには、ナットＮの雌ねじをボス部Ｂの外側に臨ませる挿通孔Ｂａが形成されている。そして、図５に示すように、挿通孔Ｂａに挿通されたビス３４はナットＮに螺合されるようになっている。また、図１に示すように、各ボス部Ｂにおける底壁１２側の端面と、底壁１２との間であり、壁部１２１と対向する位置には連結片３１が架設されている。
【００２５】
次に、上記構成の配線ボックス１１の作用を設置方法と共に説明する。
まず、配線ボックス１１の左右両側方から、大径電線管１０を配線ボックス１１に向かってその径方向へ移動させる。そして、その大径電線管１０の端部を、上側壁１２ａの左右各挿入開口２１内に挿入するとともに、係合突条２２の先端となる抜け止め部２３を凹条部１０ｂ内に差し込む。さらに、大径電線管１０を接続孔２０の奥方へ押し込むと、抜け止め部２３が凹条部１０ｂ内へ円滑に差し込まれる。大径電線管１０が接続孔２０の奥方へ押し込まれると、抜け止め部２３の厚み寸法が、凹条部１０ｂの幅より厚くなるため、抜け止め部２３により一対の凸条部１０ａが外方へ押圧され、弾性変形して押し広げられる。
【００２６】
そして、一対の凸条部１０ａが押し広げられたまま大径電線管１０が接続孔２０の奥方へ押し込まれると、抜け止め部２３よりも接続孔２０の奥方に位置する係合突条２２の内周縁に凹条部１０ｂが当接する。それと同時に、抜け止め部２３は凹条部１０ｂ内を通過して大径電線管１０の外側に位置し、凹条部１０ｂより上側に位置する凸条部１０ａの外面に係合可能な位置に配設される。その結果、図３に示すように、各接続孔２０に大径電線管１０が接続される。
【００２７】
図４及び図５に示すように、接続孔２０に大径電線管１０が接続された状態では、大径電線管１０の内部の一部は、接続孔２０を介してボックス本体１３の内部空間Ｓに臨むとともに、大径電線管１０の内部と内部空間Ｓとが連通している。しかし、大径電線管１０において、挿入開口２１側に位置する径方向の一部は、挿入開口２１からボックス本体１３の側方へ突出している。言い換えると、大径電線管１０の一部は、左側壁１２ｃ及び右側壁１２ｄの外面を越えた位置にまで突出している。
【００２８】
このため、各大径電線管１０の内部のうち、内部空間Ｓと対向しない他部である左側壁１２ｃ及び右側壁１２ｄ側には、それら左側壁１２ｃ及び右側壁１２ｄの端部が対向している。すなわち、各大径電線管１０の内部には、各案内部形成体３０の案内面３０ａが露出している。このとき、案内面３０ａは、大径電線管１０の内部の前後方向に跨るように露出している。したがって、接続孔２０への大径電線管１０の接続状態では、大径電線管１０の内部全体は、内部空間Ｓと案内面３０ａに塞がれている。
【００２９】
なお、左側壁１２ｃの案内部形成体３０は、右側壁１２ｄの案内部形成体３０より突出長さが短いため、左側壁１２ｃ側の接続孔２０に接続された大径電線管１０は、径方向の一部が、案内部形成体３０よりも外方に突出している。一方、右側壁１２ｄ側の接続孔２０に接続された大径電線管１０は、案内部形成体３０よりも外方に突出しておらず、大径電線管１０は案内部形成体３０よりも内側に位置している。
【００３０】
また、上側壁１２ａの両接続孔２０に大径電線管１０が接続された状態では、各大径電線管１０の間には、上側壁１２ａの壁部１２１が位置するとともに、連結片３１が位置している。よって、上側壁１２ａの壁部１２１と、連結片３１とにより、一方の大径電線管１０が他方の大径電線管１０（接続孔２０）に向けて移動することが防止されている。
【００３１】
次いで、ボックス本体１３の開口端が、柱Ｈの前面と同一平面となるように、当接座部１４の外面を柱Ｈの側面に当接させる。そして、右側壁１２ｄに形成された３箇所の固定孔１５のうち、中央に位置する固定孔１５に固定ビスを挿通し、その固定ビスを柱Ｈに固定して配線ボックス１１を柱Ｈに固定する。
【００３２】
次に、ケーブル２４を、各大径電線管１０内に挿入しながら配線ボックス１１内に引き込む。大径電線管１０内に挿入されたケーブル２４の挿入端は、各案内面３０ａに当接した場合、その傾斜によってボックス本体１３中央に向かうように案内される。続けて、ケーブル２４を大径電線管１０内に挿入すると、ケーブル２４の外面が案内面３０ａに摺接することで、ボックス本体１３の中央に向かうように案内される。
【００３３】
その後、図５に示すように、柱Ｈの前後両側に壁材Ｗａが立設されて、壁Ｗが構築されるとともに、この壁Ｗ内に配線ボックス１１が設置される。次に、壁Ｗの表側となる壁材Ｗａに、ボックス本体１３の開口を壁Ｗの表側に臨ませる壁孔Ｗｂが穿設される。そして、配線ボックス１１内に引き込まれたケーブル２４に配線器具３５が接続されるとともに、この配線器具３５を保持した保持枠３６にビス３４が挿通される。そして、ビス３４が配線ボックス１１の挿通孔Ｂａに挿通されるとともに、ナットＮに螺合され、保持枠３６が配線ボックス１１に固定される。このとき、ビス３４は、ボックス本体１３の内部空間Ｓを奥行き方向に延びるようにナットＮを螺進するが、両大径電線管１０は、上側壁１２ａの壁部１２１が存在することにより一定の位置で位置決めされているため、ビス３４が大径電線管１０に干渉することが防止される。最後に、保持枠３６を覆うように化粧プレート３７が壁材Ｗａに取り付けられて、配線器具３５が壁Ｗに設置される。
【００３４】
上記実施形態によれば、以下のような効果を得ることができる。
（１）配線ボックス１１は、ボックス本体１３の側方に開口する挿入開口２１から大径電線管１０を接続孔２０に接続するように構成され、接続状態では大径電線管１０の径方向の一部が挿入開口２１から側方に突出している。そして、その大径電線管１０の内部の一部がボックス本体１３の内部空間Ｓに臨み、かつ他部が挿入開口２１の形成された左側壁１２ｃ及び右側壁１２ｄに対向する。この配線ボックス１１において、大径電線管１０の内部が対向する位置に案内部４０（案内部形成体３０と案内面３０ａ）を形成した。このため、大径電線管１０にケーブル２４を挿入したとき、案内部４０によってケーブル２４をボックス本体１３の内部空間Ｓに向かうように案内することができる。したがって、ケーブル２４が、左側壁１２ｃ及び右側壁１２ｄに当接して、それ以上ケーブル２４を挿入できなくなったり、ケーブル２４が屈曲したりすることを防止することができ、配線ボックス１１に対するケーブル２４の配線作業を簡単に行うことができる。
【００３５】
（２）案内部４０は、案内部形成体３０に案内面３０ａを備え、案内面３０ａはそれぞれボックス本体１３の外側から内側に向かうに従い、ボックス本体１３の中央に傾斜している。言い換えると、案内面３０ａは、ボックス本体１３内へのケーブル２４の挿入方向に沿いながらボックス本体１３の中央に向けて下り傾斜している。よって、案内面３０ａによって、ボックス本体１３内に挿入されたケーブル２４をボックス本体１３の中央に向けて案内することができる。
【００３６】
（３）案内面３０ａは、それぞれ傾斜した平滑面状に形成されている。よって、案内面３０ａにケーブル２４が摺接することにより、案内面３０ａによってケーブル２４がボックス本体１３の内部空間Ｓに向かうように円滑に案内することができる。
【００３７】
（４）接続孔２０に大径電線管１０が接続された状態では、大径電線管１０の内部は、ボックス本体１３の内部空間Ｓ及び各案内部４０に対向しており、ボックス本体１３の外部に露出していない。よって、大径電線管１０の内部にゴミ等が侵入することが防止できる。
【００３８】
（５）接続孔２０に大径電線管１０が接続された状態では、大径電線管１０の内部は、ボックス本体１３の内部空間Ｓ及び各案内部４０に対向している。このため、ケーブル２４が内部空間Ｓよりも各案内部４０に向けて挿入されても、各案内部４０によってケーブル２４がボックス本体１３の外側に飛び出てしまうことを防止することができる。
【００３９】
（６）各案内部４０は、ボックス本体１３の強度を確保するために、ボックス本体１３の奥行き方向に延びるリブを用いて形成されている。このため、案内部４０により、ボックス本体１３の強度を確保しつつ、配線ボックス１１に対するケーブル２４の配線作業を簡単に行うことができる。
【００４０】
（７）ボックス本体１３の上側壁１２ａ及び下側壁１２ｂには、それぞれ左側壁１２ｃ及び右側壁１２ｄ寄りに偏った位置に接続孔２０が形成され、各接続孔２０に対応して左側壁１２ｃ及び右側壁１２ｄに案内部４０が形成されている。よって、いずれの接続孔２０に大径電線管１０を接続しても、配線ボックス１１に対するケーブル２４の配線作業を簡単に行うことができる。
【００４１】
（８）案内部４０は、左側壁１２ｃ及び右側壁１２ｄからボックス本体１３の側方へ突設された案内部形成体３０に形成されている。このため、例えば、左側壁１２ｃ及び右側壁１２ｄの厚み内に案内部４０（案内面３０ａ）を形成する場合と比べると、案内部４０の突出長さを長くすることができる。したがって、案内部４０の面積を大きく確保して、ケーブル２４を案内しやすくすることができる。さらには、接続孔２０に小径電線管が接続されても、その小径電線管の内部に案内部４０を対向させることが可能になり、小径電線管に挿入されたケーブル２４も案内することができる。
【００４２】
（９）ボックス本体１３の右側壁１２ｄの外面には、配線ボックス１１を柱Ｈに固定する際、柱Ｈの側面に当接させる当接座部１４が突設されている。そして、この当接座部１４のボックス本体１３側方への突出長さは、右側壁１２ｄ側の接続孔２０に接続された大径電線管１０のボックス本体１３側方への突出長さより長くなっている。このため、右側壁１２ｄ側の接続孔２０に大径電線管１０が接続されていても、当接座部１４を柱Ｈに当接させることができ、配線ボックス１１を柱Ｈに固定することができる。
【００４３】
（１０）ボックス本体１３の右側壁１２ｄに形成された案内部形成体３０は、ボックス本体１３の側方への突出長さが、当接座部１４の突出長さとほぼ同じになっており、この案内部形成体３０は右側壁１２ｄから突出できる最大長さを利用して形成されている。よって、案内部４０を最大限に大きく形成し、案内面３０ａの面積を大きく確保して、ケーブル２４を案内しやすくすることができる。
【００４４】
（１１）接続孔２０は、ボックス本体１３の上側壁１２ａ及び下側壁１２ｂにおける左側壁１２ｃ及び右側壁１２ｄ寄りに偏った位置に形成されており、両接続孔２０の間には壁部１２１が形成されている。また、両接続孔２０の間には、ボス部Ｂが位置し、ボス部Ｂに螺合されたビス３４は、接続孔２０の間を通過し、ビス３４が大径電線管１０に干渉しないようになっている。すなわち、本実施形態の配線ボックス１１は、上側壁１２ａ及び下側壁１２ｂのほぼ全体に長孔状の接続孔が形成されたタイプとは異なり、各接続孔２０に一本の大径電線管１０しか接続できないタイプである。このため、配線ボックス１１においては、接続孔２０に大径電線管１０を接続すると、その径方向の一部が挿入開口２１から突出し、大径電線管１０の内部が狭められてしまう。しかし、案内部４０を形成することで、大径電線管１０に挿入されたケーブル２４をボックス本体１３の内部空間Ｓに挿入しやすくし、配線ボックス１１特有の欠点を解消しているのである。
【００４５】
なお、上記実施形態は以下のように変更してもよい。
○  実施形態では、ボックス本体１３の右側壁１２ｄのみに当接座部１４を形成したが、左側壁１２ｃに当接座部１４を形成してもよい。
【００４６】
○  実施形態では、ボックス本体１３において、当接座部１４の形成されていない左側壁１２ｃにリブ１２ｅを形成するとともに、リブ１２ｅを利用して案内部４０（案内部形成体３０）を形成したが、これに限らない。例えば、左側壁１２ｃのリブ１２ｅを削除し、左側壁１２ｃの外面を平滑面とするとともに、その左側壁１２ｃの外面に案内部形成体３０のみを突設して案内部４０を形成してもよい。
【００４７】
○  実施形態では、ボックス本体１３の左側壁１２ｃ及び右側壁１２ｄの外面に案内部形成体３０を突設し、その案内部形成体３０を利用して案内部４０を形成したが、左側壁１２ｃ及び右側壁１２ｄの厚み内で案内面を形成し、案内部としてもよい。
【００４８】
○  実施形態では、ボックス本体１３の上側壁１２ａ及び下側壁１２ｂにおいて、それぞれ左側壁１２ｃ寄り及び右側壁１２ｄ寄りに接続孔２０を形成したが、これに限らない。上側壁１２ａ及び下側壁１２ｂにおいて、左側壁１２ｃ寄りのみ又は右側壁１２ｄ寄りのみに接続孔２０を形成し、接続孔２０に対応して左側壁１２ｃ又は右側壁１２ｄに案内部４０を形成してもよい。さらに、実施形態では、上側壁１２ａ及び下側壁１２ｂの両方に接続孔２０を形成したが、上側壁１２ａのみ又は下側壁１２ｂのみに接続孔２０を形成し、接続孔２０に対応して上側壁１２ａ側又は下側壁１２ｂ側のみに案内部４０を形成してもよい。
【００４９】
○  実施形態では、案内部４０の案内面３０ａを、ボックス本体１３の外側から内側に向かうに従いボックス本体１３の中央へ傾斜する平滑面としたが、これに限らない。例えば、案内面３０ａは、ボックス本体１３の外側から内側に向かうに従い凹んだり、膨らんだりしながら緩やかにカーブする円弧状であってもよい。
【００５０】
○  実施形態では、案内部４０をボックス本体１３の奥行き方向全体に亘って延びるように形成したが、これに限らない。例えば、接続孔２０に大径電線管１０を接続したとき、大径電線管１０の内部の他部が対向する部位のみに案内部４０（案内面３０ａ）を形成してもよい。
【００５１】
○  実施形態では、大径電線管１０を接続孔２０に接続した後、配線ボックス１１を柱Ｈに固定したが、配線ボックス１１を柱Ｈに固定した後、ボックス本体１３の側方に開口する挿入開口２１に大径電線管１０を挿入し、接続孔２０に大径電線管１０を接続してもよい。
【００５２】
次に、上記実施形態及び別例から把握できる技術的思想について以下に追記する。
（イ）前記案内部は、前記案内部形成体に形成された案内面を備え、該案内面は、前記ボックス本体の外側から内側に向かうに従い前記ボックス本体の中央に向けて下り傾斜している請求項３又は請求項４に記載の配線ボックス。
【００５３】
（ロ）前記案内部形成体は、前記第２側壁に形成されたリブを利用して形成されている請求項３、請求項４及び技術的思想（イ）のうちいずれか一項に記載の配線ボックス。
【符号の説明】
【００５４】
Ｈ…構造物としての柱、Ｓ…内部空間、１０…電線管としての大径電線管、１１…配線ボックス、１２…底壁、１２ａ…第１側壁としての上側壁、１２ｂ…第１側壁としての下側壁、１２ｃ…第２側壁としての左側壁、１２ｄ…第２側壁としての右側壁、１３…ボックス本体、１４…当接座部、２０…接続孔、２１…挿入開口、２４…ケーブル、３０…案内部形成体、４０…案内部。
【図１】
0005912342.tif 000002
【図２】
0005912342.tif 000003
【図３】
0005912342.tif 000004
【図４】
0005912342.tif 000005
【図５】
0005912342.tif 000006
【図６】
0005912342.tif 000007